(57)【要約】      （修正有）【課題】意図しない開封が防止され或いは袋体の開封の容易化が図られ、より利便性の高い袋体を提供する。【解決手段】互いに所定間隔をおいて対向して配設され、開口部１２を残して周辺部が溶着された一対の袋体形成片部１１を備え、前記一対の袋体形成片部の夫々の開口部側端部には、開口部を開閉可能に形成する線ファスナー部１４が設けられ、前記線ファスナー部は、線ファスナー本体１５と、前記線ファスナーの開口部側に連設された一対の開口代部１６とを有する袋体１０において、前記一対の開口代部には、開口部内方へ折り畳まれて配設され、開口時には開口代部上へ突出配置させて把持しうるつまみ部１７が夫々設けられており、開口時には前記一対のつまみ部を把持して開口するようにした。【選択図】図１
0003209905.tif 000002
【実用新案登録請求の範囲】
【請求項１】
互いに所定間隔をおいて対向して配設され、開口部を残して周辺部が溶着された一対の袋体形成片部を備え、前記一対の袋体形成片部の夫々の開口部側端部には、開口部を開閉可能に形成する線ファスナー部が設けられ、前記線ファスナー部は、線ファスナー本体と、前記線ファスナーの開口部側に連設された一対の開口代部とを有する袋体において、
前記一対の開口代部には、開口部内方へ折り畳まれて配設され、開口時には開口代部上へ突出配置させて把持しうるつまみ部が夫々設けられており、開口時には前記一対のつまみ部を把持して開口することを特徴とする袋体。
【請求項２】
互いに所定間隔をおいて対向して配設され、開口部を残して周辺部が溶着された一対の袋体形成片部を備え、前記一対の袋体形成片部の夫々の開口部側端部には、切り取り代部が設けられると共に、前記切り取り代部の底部側には線ファスナー部が設けられ、使用時には前記切り取り代部を切除することにより前記線ファスナー部を開口部として使用する袋体において、
前記切り取り代部の前記線ファスナー部の隣接部には、前記線ファスナー部の開口部側に開口時に把持しうるつまみ部が夫々設けられていることを特徴とする袋体。
【請求項３】
前記一対のつまみ部は、袋体形成片部内方において袋体形成片部内方へ折り畳まれて配設されており、開口時には切り取り代部上へ突出配置させて把持しうるように構成されていることを特徴とする請求項２に記載の袋体。
【請求項４】
前記一対のつまみ部は、互いに開口部の幅方向に沿って側面視において重複しない状態で配設されていることを特徴とする請求項１又は請求項２の何れか１項に記載の袋体。
【請求項５】
前記一対のつまみ部の一方のつまみ部の幅寸法は他方のつまみ部の幅寸法よりも大きく形成されていることを特徴とする請求項１又は請求項２の何れか１項に記載の袋体。
【考案の詳細な説明】
【技術分野】
【０００１】
本考案は、封止と開封を繰り返し行える袋体の改良に関する。
【背景技術】
【０００２】
従来、以下に列挙する袋体が提案されている。
互いに所定間隔をおいて対向して配設され、開口部を残して周辺部が溶着された一対の袋体形成片部を備え、前記一対の袋体形成片部の夫々の開口部側端部には、開口部を開閉可能に形成する線ファスナー部が設けられ、前記線ファスナー部は、線ファスナー本体と、前記線ファスナーの開口部側に連設された一対の開口代部とを有する袋体において、一対の袋体形成片部の夫々の開口部側端部から突出するようにして且つ互いに重なり合わない部分を有するつまみ部が設けられた袋体（特許文献１）。
【０００３】
互いに所定間隔をおいて対向して配設され、開口部を残して周辺部が溶着された一対の袋体形成片部を備え、前記一対の袋体形成片部の夫々の開口部側端部には、切り取り代部が設けられると共に、前記切り取り代部の底部側には線ファスナー部が設けられ、使用時には前記切り取り代部を切除することにより前記線ファスナー部を開口部として使用する袋体において、片側の袋体形成片部の線ファスナー隣接部にて前記線ファスナー部の開口部から突出するつまみ部が設けられた袋体（特許文献２）。
【先行技術文献】
【特許文献】
【０００４】
【特許文献１】特開２００８-５６２７９号公報
【特許文献２】特開２００５-２４７４１７号公報
【考案の概要】
【考案が解決しようとする課題】
【０００５】
特許文献１に記載の袋体にあっては、つまみ部が袋体から突出しているため、例えば、袋体の搬送や収納の際、つまみ部が周囲に引っ掛かり、意図せず線ファスナーが開放したり、袋体が破れてしまう可能性があった。
【０００６】
また、特許文献２に記載の袋体に関しては、つまみ部が片側の袋体形成片部にのみ設けられているので、線ファスナー部の取り扱い容易性が十分でなかった。
【０００７】
本考案は上記事情に鑑みてなされたもので、意図しない開封が防止され或いは袋体の開封の容易化が図られ、より利便性の高い袋体を提供することを目的とする。
【課題を解決するための手段】
【０００８】
上述した目的を達成するため、請求項１に記載の袋体にあっては、互いに所定間隔をおいて対向して配設され、開口部を残して周辺部が溶着された一対の袋体形成片部を備え、前記一対の袋体形成片部の夫々の開口部側端部には、開口部を開閉可能に形成する線ファスナー部が設けられ、前記線ファスナー部は、線ファスナー本体と、前記線ファスナーの開口部側に連設された一対の開口代部とを有する袋体において、前記一対の開口代部には、開口部内方へ折り畳まれて配設され、開口時には開口代部上へ突出配置させて把持しうるつまみ部が夫々設けられており、開口時には前記一対のつまみ部を把持して開口することを特徴とする。
【０００９】
請求項１に記載の袋体にあっては、袋体の開閉使用を行わない保存時や搬送時、つまみ部を袋体の開口部から飛び出ないように袋体の開口部内方へ折り畳んでおくことができる。
【００１０】
上述した目的を達成するため、請求項２に記載の袋体にあっては、互いに所定間隔をおいて対向して配設され、開口部を残して周辺部が溶着された一対の袋体形成片部を備え、前記一対の袋体形成片部の夫々の開口部側端部には、切り取り代部が設けられると共に、前記切り取り代部の底部側には線ファスナー部が設けられ、使用時には前記切り取り代部を切除することにより前記線ファスナー部を開口部として使用する袋体において、前記切り取り代部の前記線ファスナー部の隣接部には、前記線ファスナー部の開口部側に開口時に把持しうるつまみ部が夫々設けられていることを特徴とする。
【００１１】
請求項２に記載の袋体にあっては、線ファスナー部の隣接部につまみ部が夫々設けられているため、両側のつまみ部を把持できる。
【００１２】
上述した目的を達成するため、請求項３に記載の袋体にあっては、請求項２に記載の構成に加えて、前記一対のつまみ部は、袋体形成片部内方において袋体形成片部内方へ折り畳まれて配設されており、開口時には切り取り代部上へ突出配置させて把持しうるように構成されている。
【００１３】
請求項３に記載の袋体にあっては、ハサミなどを用いて切り取り代部を切除する際に、刃先がつまみ部と干渉しないようになる。
【００１４】
上述した目的を達成するため、請求項４に記載の袋体にあっては、請求項１乃又は求項２に記載の構成に加えて、前記一対のつまみ部は、互いに開口部の幅方向に沿って側面視において重複しない状態で配設されていることを特徴とする。
【００１５】
請求項４に記載の袋体にあっては、一対のつまみ部が密着した場合であっても、互いに重ならない部分を摘まむことができる。
【００１６】
上述した目的を達成するため、請求項５に記載の袋体にあっては、請求項１乃又は求項２に記載の構成に加えて、前記一対のつまみ部の一方のつまみ部の幅寸法は他方のつまみ部の幅寸法よりも大きく形成されていることを特徴とする。
【００１７】
請求項５に記載の袋体にあっては、一対のつまみ部が密着した場合であっても、互いに重ならない部分を摘まむことができる。
【考案の効果】
【００１８】
請求項１に記載の袋体にあっては、袋体の開閉使用を行わない保存時や搬送時に、袋体の開口部から飛び出ないように袋体の開口部内方へ折り畳んでおくことができるため、意図しない開封が防止され、より利便性の高い袋体を提供することができる。
【００１９】
請求項２に記載の袋体にあっては、両側のつまみ部を把持できるので確実且つ容易に線ファスナーを開口させることができ、より利便性の高い袋体を提供することができる。
【００２０】
請求項３に記載の袋体にあっては、ハサミなどを用いて切り取り代部を切除する際にハサミなどの刃先がつまみ部と干渉しないので、つまみ部が切り取り代部とともに切除されてしまうことを防止できる。また、袋体を開口させるときは、一対のつまみ部を把持して開口することができるだけでなく、袋体の開閉使用を行わない保存時や搬送時は、袋体の開口部から飛び出ないように袋体の開口部内方へ折り畳んでおくことができる。
【００２１】
請求項４に記載の袋体にあっては、一対のつまみ部が密着した場合であっても、互いに重ならない部分を摘まむことができるので、一対のつまみ部を互いに剥離しやすくなり使いやすさを高めることができる。
【００２２】
請求項５に記載の袋体にあっては、一対のつまみ部が密着した場合であっても、互いに重ならない部分を摘まむことができるので、一対のつまみ部を互いに剥離しやすくなり使いやすさを高めることができる。加えて、一対のつまみ部をどのように配置しても、この使いやすさを発揮する。
【図面の簡単な説明】
【００２３】
【図１】本考案に係る袋体の第１実施形態を示す図であり、（ａ）は袋体の封止状態（閉口状態）、（ｂ）は袋体の開封状態（開口状態）、（ｃ）は袋体に設けられたつまみ部の使用状態を示す図である。
【図２】本考案に係る袋体の第２実施形態を示す図であり、（ａ）は袋体の封止状態（閉口状態）、（ｂ）は袋体の開封状態（開口状態）、（ｃ）は袋体に設けられたつまみ部の使用状態を示す図である。
【図３】本考案に係る袋体の他の形態を示す図である。
【考案を実施するための形態】
【００２４】
添付図面を参照して、本考案に係る袋体の実施形態を説明する。
図１は本考案に係る袋体の第１実施形態を示す図であり、図１の点線は、内側の構造を示すものである。
【００２５】
本実施形態の袋体１０は、軟性の合成樹脂により構成された袋体形成片部１１，１１を用いて構成されている。即ち、図１（ｂ）に示すように、袋体１０は、一対の袋体形成片部１１，１１が互いに所定間隔をおいて対向して配設され、開口部１２を残して周辺部が溶着されることにより構成される。
【００２６】
また、一対の袋体形成片部１１，１１の夫々の開口部１２側端部には、図１（ａ）及び（ｂ）に示すように、開口部１２を開閉可能に形成する線ファスナー部１４が設けられている。線ファスナー部１４は、袋体形成片部１１，１１を封止又は開封する線状のものであれば適用できる。
【００２７】
線ファスナー部１４は、線ファスナー本体１５と、線ファスナーの開口部１２側に連設された一対の開口代部１６とを有する。
【００２８】
また、図１（ｃ）に示すように、一対の開口代部１６には、開口部１２内方へ折り畳まれて配設され、開口時には開口代部１６上へ突出配置させて把持しうるつまみ部１７，１７が夫々設けられている。
【００２９】
つまみ部１７，１７は、図１（ａ）に示すように、袋体１０を開封しないときに開口部１２から突き出ないよう、折り込み可能に設けられている。また、袋体１０を開封するときは、この一対のつまみ部１７，１７を把持し、互いに遠ざけるように引っ張ることにより行える。
【００３０】
この一対のつまみ部１７，１７は、図１（ｃ）に示すように、互いに開口部１２の幅方向であって開口代部１６の長手方向に沿って側面視において重複しない状態で配設されている。
【００３１】
次に、効果を説明する。
本実施形態の袋体１０にあっては、袋体１０の開閉使用を行わない保存時や搬送時は、袋体の開口部１２から飛び出ないように袋体の開口部１２内方へ折り畳んでおくことができる。従って、意図しない開封が防止され、より利便性の高い袋体を提供することができる。
（第２実施形態）
本考案に係る袋体の第２実施形態を示す図であり、（ａ）は袋体の封止状態（閉口状態）、（ｂ）は袋体の開封状態（開口状態）、（ｃ）は袋体に設けられたつまみ部の使用状態を示す図である。
【００３２】
本実施形態は、第１実施形態のつまみ部１７，１７が適用された他の例である。
【００３３】
本実施形態の袋体２０、軟性の合成樹脂により構成された袋体形成片部１１，１１を用いて構成されている。袋体２０は、即ち、図２（ｂ）に示すように、一対の袋体形成片部１１，１１が互いに所定間隔をおいて対向して配設され、開口部１２を残して周辺部が溶着されて構成されている。
【００３４】
また、図２（ａ）及び（ｂ）に示すように、一対の袋体形成片部１１，１１の夫々の開口部１２側端部には、切り取り代部１３が設けられると共に、切り取り代部１３の底部側には線ファスナー部１４が設けられる。
【００３５】
そして、線ファスナー部１４は、図２（ｃ）に示すように、切り取り代部１３を部分的に切除することで使用可能となる。線ファスナー部１４は、袋体２０の開口部１２として使用される。
【００３６】
切り取り代部１３の線ファスナー部１４の隣接部には、図２（ｂ）に示すように、線ファスナー部１４の開口部１２側に開口時に把持しうるつまみ部１７，１７が夫々設けられている。
【００３７】
一対のつまみ部１７，１７は、図２（ｂ）に示すように、袋体形成片部１１，１１内方において袋体形成片部１１，１１内方へ折り畳まれて配設されている。そして、袋体２０の開口時は、図２（ｃ）に示すように、切り取り代部１３から突出配置させて把持しうるように構成されている。
【００３８】
次に、効果を説明する。
袋体２０にあっては、線ファスナー部１４の隣接部につまみ部１７，１７が夫々設けられているため、両側のつまみ部を把持できる。従って、確実且つ容易に線ファスナーを開口させることができ、より利便性の高い袋体を提供することができる。
【００３９】
以上、本考案に係る袋体を１つの第１実施形態及び第２実施形態に基づき説明してきたが、具体的な構成については、本実施形態に限られるものではなく、実用新案登録請求の範囲に記載の考案の要旨を逸脱しない限り変更や追加等は許容される。
【００４０】
図３は、本考案に係る袋体の他の形態を示す図である。図３の袋体３０は図２の袋体２０におけるつまみ部１７，１７の構成を一部変更した例である。即ち、一方のつまみ部１７は、袋体形成片部１１の外方において、線ファスナー部１４の開口部１２側に設けられている。
【００４１】
また、図３は、つまみ部の片方だけを袋体形成片部の外方に設ける例であるが、つまみ部の両方を袋体形成片部の外方に設けるようにしてもよい。
【００４２】
また、一対のつまみ部は、互いに開口部の幅方向に沿って側面視において重複しない状態で配設される例を示したが、一方のつまみ部の幅寸法は他方のつまみ部の幅寸法よりも大きく形成したり、異なる形状にしてもよい。
【００４３】
このように構成することで、一対のつまみ部が密着した場合であっても互いに重ならない部分を摘まむことができるので、一対のつまみ部を互いに剥離しやすくでき使いやすさを高めることができる。そして、一対のつまみ部をどのように配置しても、この使いやすさを発揮する。
【００４４】
また、つまみ部の形状は、長方形状、三角形状、丸みを帯びた形状など、適宜変更できる。
【産業上の利用可能性】
【００４５】
本実施形態は、常温保存用や袋体や冷凍用に限定されず、内容物を収容する袋体に広く適用できる。
【符号の説明】
【００４６】
１０，２０，３０     袋体
１１   袋体形成片部
１２   開口部
１３   切り取り代部
１４   線ファスナー部
１５   線ファスナー本体
１６   開口代部
１７   つまみ部
【図１】
0003209905.tif 000003
【図２】
0003209905.tif 000004
【図３】
0003209905.tif 000005